(57)【要約】  フィードバックオーバーヘッドを削減しつつ、ＣＱＩ再現性を向上させる無線通信端末装置、無線通信基地局装置及びＣＱＩフィードバック方法を提供する。端末チャネル判定部は、自端末がＴＵ端末であるかＬＯＳ端末であるかを判定する。フィードバックＣＱＩ決定部は、自端末がＴＵ端末である場合にＢｅｓｔ−Ｍ報告を選択し、自端末がＬＯＳ端末である場合にＤＣＴ報告を選択し、選択した報告方法によってＣＱＩをフィードバックする。
2009075099.tif 000002
【特許請求の範囲】
【請求項１】
現在のチャネル環境が周波数選択性の強いチャネル環境であるか、周波数選択性の弱いチャネル環境であるかを判定するチャネル判定手段と、
周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち直流成分と、周波数成分の低い（Ｍ−１）個の振幅成分をフィードバックするＤＣＴ報告を選択し、選択された報告方法によってフィードバックするＣＱＩを決定するフィードバックＣＱＩ決定手段と、
決定されたＣＱＩを無線通信基地局装置にフィードバックする送信手段と、
を具備する無線通信端末装置。
【請求項２】
前記フィードバックＣＱＩ決定手段は、ＤＣＴ報告を選択した場合、生じた空きリソースを用いてフィードバックするＣＱＩであって、かつ、決定されたＣＱＩのチャネルとは異なるチャネルに対応するＣＱＩを決定する請求項１に記載の無線通信端末装置。
【請求項３】
前記フィードバックＣＱＩ決定手段は、ＤＣＴ報告を選択した場合、第１のＣＤＤと、前記第１のＣＤＤとは異なる第２のＣＤＤとを用いて形成されるそれぞれ異なるチャネルに対応するＣＱＩを決定する請求項１に記載の無線通信端末装置。
【請求項４】
前記第２のＣＤＤは、各サブキャリアに乗算するウェイトの位相が前記第１のＣＤＤとは異なる請求項３に記載の無線通信端末装置。
【請求項５】
前記第２のＣＤＤは、各サブキャリアに乗算するウェイトの角速度が前記第１のＣＤＤとは異なる請求項３に記載の無線通信端末装置。
【請求項６】
前記フィードバックＣＱＩ決定手段は、平均受信電力差が所定範囲内に収まる複数のチャネルのＣＱＩを同時にフィードバックする場合、各チャネルのＣＱＩのＤＣＴ出力結果のＤＣ成分を各チャネルのＣＱＩに共有させる請求項２に記載の無線通信端末装置。
【請求項７】
前記フィードバックＣＱＩ決定手段は、第１のＣＤＤと、前記第１のＣＤＤとは異なる第２のＣＤＤとを用いて形成されるそれぞれ異なるチャネルに対応するＣＱＩのＤＣＴ出力結果のＤＣ成分を各チャネルのＣＱＩに共有させる請求項６に記載の無線通信端末装置。
【請求項８】
ＣＱＩをＤＣＴ変換した結果のうち周波数成分の低いＭ個の振幅成分をフィードバックするＤＣＴ報告によって、第１のＣＤＤを用いて形成されるチャネルに対応する第１のＣＱＩを受信する受信手段と、
前記第１のＣＱＩに基づいて、前記第１のＣＤＤとは異なる第２のＣＤＤを用いて形成されるチャネルに対応する第２のＣＱＩを再生する再生手段と、
を具備する無線通信基地局装置。
【請求項９】
現在のチャネル環境が周波数選択性の強いチャネル環境であるか、周波数選択性の弱いチャネル環境であるかを判定するチャネル判定ステップと、
周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち周波数成分の低いＭ個の振幅成分をフィードバックするＤＣＴ報告を選択し、選択した報告方法によってＣＱＩをフィードバックするフィードバックＣＱＩ決定ステップと、
を具備するＣＱＩフィードバック方法。
【発明の詳細な説明】
【技術分野】
【０００１】
本発明は、無線通信端末装置、無線通信基地局装置及びＣＱＩフィードバック方法に関する。
【背景技術】
【０００２】
３ＧＰＰ ＬＴＥの下りリンクにおけるセルスループットを改善する技術として、周波数スケジューリング（マルチユーザスケジューリング）がある。各端末はＲＢ（Resource Block）毎のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。【０００３】
基地局は、より高いＣＱＩをフィードバックした端末に優先的に通信リソースを割り当てる。端末数が増大するほど、高いＣＱＩをフィードバックする端末数が増大するため、セルスループット（ピークデータレート、周波数利用効率）が改善することになる。現在、３ＧＰＰ ＬＴＥで検討されているＣＱＩフィードバック方法の中で、最も有力な候補がＢｅｓｔ−Ｍ報告である。【０００４】
図１にＢｅｓｔ−Ｍ報告の概要について示す。Ｂｅｓｔ−Ｍ報告では、全ＲＢ（ＲＢｉ，（１≦ｉ≦ＮＲＢ））のＣＱＩｉ，（１≦ｉ≦ＮＲＢ）の中から、ＣＱＩレベルの高い上位Ｍ個のＲＢを選択して、そのＲＢに対応するＣＱＩｉ（ｊ）（１≦ｊ≦Ｍ）と平均ＣＱＩをフィードバックする。例えば、１０ＭＨｚ伝送（ＮＲＢ＝５０）、Ｍ＝５、ＣＱＩレベル＝３２の場合、Ｂｅｓｔ−Ｍ報告のＣＱＩフィードバックビット数ＮｂｅｓｔＭは次式のようになる。
【数１】
2009075099.tif 000003
【０００５】
また、ＣＱＩｉ，（１≦ｉ≦ＮＲＢ）をＤＣＴ（Discrete Cosine Transform）変換した結果の中から、直流成分と周波数成分の低い（Ｍ−１）個の振幅成分をフィードバックするＤＣＴ報告がある。図２にＤＣＴ報告の概要について示す。ＤＣＴ報告のＣＱＩフィードバックビット数ＮＤＣＴは次式のようになる。
【数２】
2009075099.tif 000004
ここで、ＤはＤＣ成分の表現（量子化）ビット数であり、Ｄ＝５とした。【０００６】
このように、Ｂｅｓｔ−Ｍ報告では、フィードバックオーバーヘッドが多い（１０ＭＨｚ当たり５２ビット）ので、ＣＱＩ再現性も高めることができる。一方、ＤＣＴ報告では、フィードバックオーバーヘッドを少なく抑える（１０ＭＨｚ当たり２５ビット）ことができるものの、ＣＱＩ再現性は悪くなる。すなわち、フィードバックオーバーヘッドとＣＱＩ再現性にはトレードオフの関係が存在する。【０００７】
以下、周波数選択性の強いチャネル環境下に存在する端末をＴＵ端末、周波数選択性の弱い（周波数非選択性に近い）チャネル環境下に存在する端末をＬＯＳ端末と呼ぶことにする。
【非特許文献１】3GPP, R1-062954, LG Electronics, “Analysis on DCT based CQI reporting Scheme”, RAN1#46-bis, Seoul, October 9-13, 2006
【発明の開示】
【発明が解決しようとする課題】
【０００８】
従来、端末のチャネル状況に関係なく、任意の端末がＢｅｓｔ−Ｍ報告によりＣＱＩをフィードバックしている。Ｂｅｓｔ−Ｍ報告は、ＴＵ端末のＣＱＩを正確に表現できるように調整されているため、ＬＯＳ端末がＢｅｓｔ−Ｍ報告を使用することは、過剰なリソース（ビット）を使ってＣＱＩを表現することになってしまう。【０００９】
本発明の目的は、フィードバックオーバーヘッドを削減しつつ、ＣＱＩ再現性を向上させる無線通信端末装置、無線通信基地局装置及びＣＱＩフィードバック方法を提供することである。
【課題を解決するための手段】
【００１０】
本発明の無線通信端末装置は、現在のチャネル環境が周波数選択性の強いチャネル環境であるか、周波数選択性の弱いチャネル環境であるかを判定するチャネル判定手段と、周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち直流成分と、周波数成分の低い（Ｍ−１）個の振幅成分をフィードバックするＤＣＴ報告を選択し、選択された報告方法によってフィードバックするＣＱＩを決定するフィードバックＣＱＩ決定手段と、決定されたＣＱＩを無線通信基地局装置にフィードバックする送信手段と、を具備する構成を採る。【００１１】
本発明の無線通信基地局装置は、ＣＱＩをＤＣＴ変換した結果のうち周波数成分の低いＭ個の振幅成分をフィードバックするＤＣＴ報告によって、第１のＣＤＤを用いて形成されるチャネルに対応する第１のＣＱＩを受信する受信手段と、前記第１のＣＱＩに基づいて、前記第１のＣＤＤとは異なる第２のＣＤＤを用いて形成されるチャネルに対応する第２のＣＱＩを再生する再生手段と、を具備する構成を採る。【００１２】
本発明のＣＱＩフィードバック方法は、現在のチャネル環境が周波数選択性の強いチャネル環境であるか、周波数選択性の弱いチャネル環境であるかを判定するチャネル判定ステップと、周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち周波数成分の低いＭ個の振幅成分をフィードバックするＤＣＴ報告を選択し、選択した報告方法によってＣＱＩをフィードバックするフィードバックＣＱＩ決定ステップと、を具備するようにした。
【発明の効果】
【００１３】
本発明によれば、フィードバックオーバーヘッドを削減しつつ、ＣＱＩ再現性を向上させることができる。
【図面の簡単な説明】
【００１４】
【図１】Ｂｅｓｔ−Ｍ報告の概要を示す図
【図２】ＤＣＴ報告の概要を示す図
【図３】本発明の実施の形態１に係る端末の構成を示すブロック図
【図４】ＣＱＩ値推定の処理手順を示すフロー図
【図５】ＣＤＤ合成チャネルの説明に供する図
【図６】端末チャネル判定の処理手順を示すフロー図
【図７】本発明の実施の形態１に係るＣＱＩフィードバックフォーマットを示す図
【図８】本発明の実施の形態１に係る基地局の構成を示すブロック図
【図９】本発明の実施の形態２に係る端末の構成を示すブロック図
【図１０】位相が異なる場合のＣＤＤ合成チャネルの説明に供する図
【図１１】角速度が異なる場合のＣＤＤ合成チャネルの説明に供する図
【図１２】本発明の実施の形態２に係るＣＱＩフィードバックフォーマットを示す図
【図１３】ＣＱＩをＤＣＴ変換した結果のＤＣ成分がほぼ同じになる様子を示す図
【図１４】位相が異なる２つのＣＤＤ行列により形成されるＣＱＩのＤＣＴ出力結果を示す図
【図１５】角速度が異なる２つのＣＤＤ行列により形成されるＣＱＩのＤＣＴ出力結果を示す図
【図１６】本発明の実施の形態２に係る基地局の構成を示すブロック図
【図１７】ＬＯＳ端末とＴＵ端末にＲＢを割り当てる様子を示す図
【図１８】本発明の実施の形態３に係る基地局の構成を示すブロック図
【発明を実施するための最良の形態】
【００１５】
以下、本発明の実施の形態について、図面を参照して詳細に説明する。ただし、実施の形態において、同一機能を有する構成には同一符号を付し、重複する説明は省略する。【００１６】
（実施の形態１）
本発明の実施の形態１に係る端末１００の構成について、図３を用いて説明する。図３において、無線受信部１０２−１，１０２−２は、後述する基地局から送信されたＲＦ（Radio Frequency）信号を、アンテナ１０１−１，１０１−２を介して受信し、ＲＦ信号にダウンコンバートなどの処理を施し、ＯＦＤＭベースバンド信号に変換する。ＯＦＤＭベースバンド信号はＯＦＤＭ復調部１０３−１，１０３−２に出力される。【００１７】
ＯＦＤＭ復調部１０３−１，１０３−２は、無線受信部１０２−１，１０２−２から出力されたＯＦＤＭベースバンド信号からＣＰ（Cyclic Prefix）を除去し、ＣＰを除去したＯＦＤＭベースバンド信号に高速フーリエ変換を施すことにより、時間領域信号を周波数領域信号に変換する。周波数領域信号は分離部１０４−１，１０４−２に出力される。【００１８】
分離部１０４−１，１０４−２は、ＯＦＤＭ復調部１０３−１，１０３−２から出力された周波数領域信号をデータ信号と共通参照信号とに分離し、データ信号を復調部１０６に出力し、共通参照信号をチャネル推定部１０５に出力する。【００１９】
チャネル推定部１０５は、分離部１０４−１，１０４−２から出力された共通参照信号を用いて、基地局の各送信アンテナと端末１００の各受信アンテナとのチャネル推定値Ｈ＾ｋ，ｊを求め、求めたチャネル推定値Ｈ＾ｋ，ｊと循環遅延シフトサンプル数τｉ，（１≦ｉ≦２）とを用いて、ＣＤＤ（Cyclic Delay Diversity）合成チャネル推定値Ｈ＾ｋを次式のように求める。
【数３】
2009075099.tif 000005
ここでは、ｋはサブキャリア番号を、ｉは送信アンテナ番号をそれぞれ示す。求められたＣＤＤ合成チャネル推定値Ｈ＾ｋは復調部１０６及びＣＱＩ推定部１０８に出力される。【００２０】
復調部１０６は、チャネル推定部１０５から出力されたチャネル推定値を用いて、分離部１０４−１，１０４−２から出力されたデータ信号を復調し、軟判定ビットを生成する。生成された軟判定ビットは復号部１０７に出力される。【００２１】
復号部は１０７、復調部１０６から出力された軟判定ビットに対して、チャネル復号を行い、情報データ系列を復号し、復号データを出力する。【００２２】
ＣＱＩ推定部１０８は、チャネル推定部１０５から出力されたチャネル推定値Ｈ＾ｋ，ｊを用いて、各ＲＢのＣＱＩ値を推定し、端末チャネル判定部１０９に出力する。なお、ＣＱＩ値推定の詳細については後述する。【００２３】
端末チャネル判定部１０９は、ＣＱＩ推定部１０８から出力された各ＲＢのＣＱＩ値を用いて、端末チャネル状況、すなわち、自端末がＴＵ端末かＬＯＳ端末かを判定し、判定結果をフィードバックＣＱＩ決定部１１０に出力する。なお、端末チャネル判定の詳細については後述する。【００２４】
フィードバックＣＱＩ決定部１１０は、端末チャネル判定部１０９から出力された端末チャネルの判定結果に基づいて、ＣＱＩフィードバック情報を生成し、無線送信部１１１に出力する。なお、フィードバックＣＱＩ決定の詳細については後述する。【００２５】
無線送信部１１１は、フィードバックＣＱＩ決定部１１０から出力されたＣＱＩフィードバック情報にアップコンバートなどの処理を施し、ＲＦ信号に変換し、後述する基地局に送信する。【００２６】
ここで、上述したＣＱＩ推定部１０８におけるＣＱＩ値推定処理の詳細について説明する。図４は、ＣＱＩ値推定の処理手順を示すフロー図である。図４において、ステップ（以下、「ＳＴ」と省略する）２０１では、Ｂｅｓｔ−Ｍ報告とＤＣＴ報告とで共通に使用するＣＤＤ行列（Ｃ−ＣＤＤ行列）とチャネル推定値Ｈ＾ｋ，ｊを用いて、ＣＤＤ合成チャネル推定値Ｈ＾ｋを次式のように算出する。
【数４】
2009075099.tif 000006
ここで、Ｃ−ＣＤＤ行列を以下のように定義する。
【数５】
2009075099.tif 000007
【００２７】
参考までにＣＤＤ合成チャネルについて図５を用いて説明する。この図に示すように、Ｃ−ＣＤＤの振幅について、一方の送信アンテナ（送信アンテナ＃１）では、周波数にかかわらず振幅Ｈ１で一定であり、他方の送信アンテナ（送信アンテナ＃２）では、周波数にかかわらず振幅Ｈ２（＜Ｈ１）で一定である。また、Ｃ−ＣＤＤの位相について、送信アンテナ＃１では、周波数にかかわらず位相Ｈ１で一定であり、送信アンテナ＃２では、周波数が増加するにつれて位相Ｈ２も増加する。このような、振幅及び位相を有する信号が送信アンテナ＃１及び＃２から送信されると、図５に示すように、合成波形が形成される。【００２８】
図４に戻る。ＳＴ２０２では、ＲＢ毎のＳＩＮＲを算出する。具体的には、まず、サブキャリアｋの信号電力Ｓｋを次式のように求める。
【数６】
2009075099.tif 000008
ここで、ＲＢ番号ｎの信号電力Ｓｊ（ｎ）を次式のように定義する。
【数７】
2009075099.tif 000009
ここで、ＮｒｂはＲＢ当たりのサブキャリア数である。そして、ＲＢ番号ｎの平均ＳＩＮＲｎは次式のように求められる。なお、σ２は雑音電力を表す。
【数８】
2009075099.tif 000010
【００２９】
ＳＴ２０３では、ＳＴ２０２において求めたＳＩＮＲｎからＲＢ毎にマッピングテーブルを用いて、ＣＱＩｎを決定する。マッピングテーブルには、ＳＩＮＲｎの所定範囲毎にＣＱＩｎが対応付けられている。すなわち、ＳＩＮＲｎに対して一義的にＣＱＩｎを決定することができる。【００３０】
次に、上述した端末チャネル判定部１０９における端末チャネル判定の詳細について説明する。図６は、端末チャネル判定の処理手順を示すフロー図である。図６において、ＳＴ２１１では、ＮＲＢ個のＣＱＩ系列にＤＣＴ変換を施し、ＮＲＢ個の係数に変換する。【００３１】
ＳＴ２１２では、ＳＴ２１１におけるＤＣＴ出力値の絶対値の平均値を閾値として、各ＤＣＴ出力値の閾値判定を行い、閾値以上となるＤＣＴ出力値の個数をカウントする。カウント結果Ｎｄが２以下（ＮＯ）であれば、ＳＴ２１３においてＬＯＳ端末と判定し、カウント結果Ｎｄが３以上（ＹＥＳ）であれば、ＳＴ２１４においてＴＵ端末と判定する。【００３２】
次に、フィードバックＣＱＩ決定部１１０におけるフィードバックＣＱＩ決定の詳細について説明する。フィードバックＣＱＩ決定部１１０では、端末チャネル判定部１０９の判定結果がＴＵ端末を示す場合、Ｂｅｓｔ−Ｍ報告を選択し、ＣＱＩｎ，（１≦ｎ≦ＮＲＢ）のうち、ＣＱＩレベルの上位Ｍ個のＣＱＩｍ（ｓ），（１≦ｍ≦Ｍ）とそれに対応するＲＢｍ，（１≦ｍ≦Ｍ）を選択する。また、フィードバックＣＱＩ決定部１１０は、ＣＱＩフィードバック情報がＴＵ端末を示す場合には、ＴＵ／ＬＯＳ端末判別フラグ“０”をＣＱＩフィードバック情報に付加する。【００３３】
一方、フィードバックＣＱＩ決定部１１０では、端末チャネル判定部１０９の判定結果がＬＯＳ端末を示す場合、ＤＣＴ報告を選択し、ＣＱＩｎ，（１≦ｎ≦ＮＲＢ）ＤＣＴ変換した結果の中から、直流成分と、周波数成分の低い（Ｍ−１）個の振幅成分を選択する。また、フィードバックＣＱＩ決定部１１０は、ＣＱＩフィードバック情報がＬＯＳ端末を示す場合には、ＴＵ／ＬＯＳ端末判別フラグ“１”をＣＱＩフィードバック情報に付加する。【００３４】
このように、ＬＯＳ端末では、ＤＣＴ報告を選択することにより、フィードバックオーバーヘッドを削減するため、ＣＱＩフィードバックフォーマットには空きリソースが生じる。ここでは、図７Ａ及び図７Ｂに示すフォーマットが考えられる。図７Ａに示すＤＣＴ報告のＣＱＩフィードバックフォーマットは、Ｍ個のＤＣＴ出力値をレピティション処理したフォーマットを示しており、これにより、Ｍ個のＤＣＴ出力値の受信耐性を強化することができる。また、図７Ｂに示すＤＣＴ報告のＣＱＩフィードバックフォーマットは、ＤＣＴ出力値をＭ個の２倍（２Ｍ個）にしたフォーマットを示しており、これにより、ＣＱＩ値の再現性を向上させることができる。【００３５】
次に、本発明の実施の形態１に係る基地局３００の構成について、図８を用いて説明する。図８において、無線受信部３０１は、端末から送信されたＲＦ信号を、アンテナ３１１−１，３１１−２を介して受信し、ＲＦ信号にダウンコンバートなどの処理を施し、ＯＦＤＭベースバンド信号に変換する。ＯＦＤＭベースバンド信号は制御情報復調部３０２に出力される。【００３６】
制御情報復調部３０２は、無線受信部３０１から出力されたＯＦＤＭベースバンド信号を復調し、ＣＱＩフィードバック情報、ＣＤＤ情報及び端末チャネル状況を得て、スケジューリング部３０３に出力する。【００３７】
スケジューリング部３０３は、制御情報復調部３０２から出力されたＣＱＩフィードバック情報に基づいて、リソース割り当てを行い、割り当てたリソースに従ってユーザデータを符号化部３０４−１，３０４−２に出力する。また、符号化率を符号化部３０４−１，３０４−２に出力し、変調方式を変調部３０５−１，３０５−２に出力し、プリコーディング行列を表現するＰＭＩ（Precoding Matrix Indicator）をプリコーディング部３０６に出力し、Ｃ−ＣＤＤ行列を含む制御信号を循環遅延部３０７−１，３０７−２及び多重部３０８−１，３０８−２に出力する。【００３８】
符号化部３０４−１，３０４−２は、スケジューリング部３０３から出力されたユーザデータを同じくスケジューリング部３０３から出力された制御信号に含まれる符号化率でチャネル符号化し、符号化ビットを変調部３０５−１，３０５−２に出力する。【００３９】
変調部３０５−１，３０５−２は、符号化部３０４−１，３０４−２から出力された符号化ビットをスケジューリング部３０３から出力された制御信号に含まれる変調方式でＱＡＭ（ＱＰＳＫ，１６ＱＡＭ又は６４ＱＡＭ）変調し、変調シンボルをプリコーディング部３０６に出力する。【００４０】
プリコーディング部３０６は、変調部３０５−１，３０５−２から出力された変調シンボルにスケジューリング部３０３から出力された制御信号に含まれるＰＭＩに基づいて、プリコーディング処理を施し、循環遅延部３０７−１，３０７−２に出力する。【００４１】
循環遅延部３０７−１，３０７−２は、スケジューリング部３０３から出力された制御信号に含まれるＣ−ＣＤＤ行列を用いて、プリコーディング部３０３から出力されたシンボルに対して循環遅延シフトを与え、多重部３０８−１，３０８−２に出力する。【００４２】
多重部３０８−１，３０８−２は、循環遅延部３０７−１，３０７−２から出力されたデータ信号と、スケジューリング部３０３から出力された制御信号と、入力された共通参照信号とを多重し、ＯＦＤＭ変調部３０９−１，３０９−２に出力する。【００４３】
ＯＦＤＭ変調部３０９−１，３０９−２は、多重部３０８−１，３０８−２から出力された多重信号に逆高速フーリエ変換を施すことにより、周波数領域信号を時間領域信号に変換し、ＣＰを付加してＯＦＤＭ信号を生成する。生成されたＯＦＤＭ信号は無線送信部３１０−１，３１０−２に出力される。【００４４】
無線送信部３１０−１，３１０−２は、ＯＦＤＭ変調部３０９−１，３０９−２から出力されたＯＦＤＭ信号をＲＦ信号に変換し、各アンテナ３１１−１，３１１−２から端末１００に送信する。【００４５】
このように実施の形態１によれば、ＴＵ端末はＢｅｓｔ−Ｍ報告を選択し、ＬＯＳ端末はＤＣＴ報告を選択することにより、フィードバックオーバーヘッドを削減しつつ、ＣＱＩ再現性を向上させることができる。【００４６】
（実施の形態２）
本発明の実施の形態２に係る端末４００の構成について、図９を用いて説明する。図９が図３と異なる点は、ＣＱＩ推定部１０８をＣＱＩ推定部４０１に変更し、端末チャネル判定部１０９を端末チャネル判定部４０２に変更し、フィードバックＣＱＩ決定部１１０をフィードバックＣＱＩ決定部４０３に変更した点である。【００４７】
ＣＱＩ推定部４０１は、チャネル推定部１０５から出力されたチャネル推定値Ｈ＾ｋ，ｊを用いて、各ＲＢのＣＱＩ値を推定し、端末チャネル判定部４０２に出力する。具体的には、ＣＱＩ推定部４０１は、Ｃ−ＣＤＤに加え、追加用ＣＤＤ（Ａ−ＣＤＤ）行列を用いてＣＤＤ合成チャネルを推定する。Ｃ−ＣＤＤとＡ−ＣＤＤとの関係は、位相が異なる場合及び角速度が異なる場合の２通りがある。まず、Ｃ−ＣＤＤとＡ−ＣＤＤとの関係において位相が異なる場合について説明する。Ｃ−ＣＤＤ行列とＡ−ＣＤＤ行列は次式のようになる。
【数９】
2009075099.tif 000011
【００４８】
また、図１０に示すように、Ｃ−ＣＤＤの振幅について、送信アンテナ＃１では、周波数にかかわらず振幅Ｈ１で一定であり、送信アンテナ＃２では、周波数にかかわらず振幅Ｈ２（＜Ｈ１）で一定である。また、位相について、送信アンテナ＃１では、周波数にかかわらず位相Ｈ１で一定であり、送信アンテナ＃２では、Ｃ−ＣＤＤとＡ−ＣＤＤのサブキャリア毎のウェイトの位相を反転させる（πずらす）。このような、振幅及び位相を有する信号が送信アンテナ＃１及び＃２から送信されると、Ｃ−ＣＤＤ及びＡ−ＣＤＤの合成波形は、図１０に示すように形成される。【００４９】
次に、Ｃ−ＣＤＤとＡ−ＣＤＤとの関係において角速度が異なる場合について説明する。Ｃ−ＣＤＤ行列とＡ−ＣＤＤ行列は次式のようになる。
【数１０】
2009075099.tif 000012
【００５０】
また、図１１に示すように、Ｃ−ＣＤＤの振幅については、図１０と同様であり、位相については、送信アンテナ＃１では、周波数にかかわらず位相Ｈ１で一定であり、送信アンテナ＃２では、Ｃ−ＣＤＤとＡ−ＣＤＤのサブキャリア毎の角速度を異ならせる。このような、振幅及び位相を有する信号が送信アンテナ＃１及び＃２から送信されると、Ｃ−ＣＤＤ及びＡ−ＣＤＤの合成波形は、図１１に示すように形成される。【００５１】
また、ＣＱＩ推定部４０１は、端末チャネル判定部４０２においてＬＯＳ端末と判定された場合、その旨を端末チャネル判定部４０２から通知され、Ａ−ＣＤＤに対応するＤＣＴ出力を算出し、端末チャネル判定部４０２に出力する。ただし、端末チャネル判定部４０２では、既に判定を行っているので、ＣＱＩ推定部４０１から出力されたＡ−ＣＤＤに対応するＤＣＴ出力をフィードバックＣＱＩ決定部４０３に出力する。【００５２】
フィードバックＣＱＩ決定部４０３は、ＬＯＳ端末では、ＤＣＴ報告を選択することにより、フィードバックオーバーヘッドを削減するため、ＣＱＩフィードバックフォーマットには空きリソースが生じる。本実施の形態では、図１２Ａ及び図１２Ｂに示すフォーマットが考えられる。図１２Ａに示すＤＣＴ報告のＣＱＩフィードバックフォーマットは、Ｃ−ＣＤＤのＭ個のＤＣＴ出力値とＡ−ＣＤＤのＭ個のＤＣＴ出力値とを含むフォーマットを示している。【００５３】
また、図１２Ｂに示すＤＣＴ報告のＣＱＩフィードバックフォーマットは、Ｃ−ＣＤＤの（Ｍ−１）個のＤＣＴ出力値、Ａ−ＣＤＤの（Ｍ−１）個のＤＣＴ出力値に加え、これらが共有するＤＣ成分を含むフォーマットを示している。位相又は角速度が異なる２つのＣＤＤ行列により形成されるＣＱＩのＤＣＴ出力値は２つのＣＤＤ行列共にほぼ同じ値になる。【００５４】
ここで、ＣＱＩをＤＣＴ変換した結果のＤＣ成分がほぼ同じになる様子について図１３を用いて説明する。図１３は、平均受信電力（ＣＱＩレベル）が同じチャネル同士のＤＣＴ出力結果を示す。帯域全体の平均受信電力（又は平均ＣＱＩ）がほぼ同じであれば、ＤＣＴ変換した結果のＤＣ成分はほぼ同じ値になる。【００５５】
同一の伝搬チャネルに対して、異なる２つの位相又は角速度のＣＤＤ行列を乗算しても、帯域全体の平均受信電力はほぼ同じになる。図１４に位相が異なる２つのＣＤＤ行列により形成されるＣＱＩのＤＣＴ出力結果を示し、図１５に角速度が異なる２つのＣＤＤ行列により形成されるＣＱＩのＤＣＴ出力結果を示す。図１４及び図１５から明らかなように、Ａ−ＣＱＩとＣ−ＣＱＩの平均値がほぼ同じなるため、位相及び角速度が異なる２つのＣＤＤ行列により形成されるＣＱＩのＤＣＴ出力値のＤＣ成分はほぼ同じ値になる。よって、平均受信電力差が所定範囲内に収まる複数のチャネルのＣＱＩ（ここでは、Ａ−ＣＱＩとＣ−ＣＱＩのＤＣＴ出力結果）を同時にフィードバックする場合は、ＤＣ成分を共有できる。【００５６】
これにより、ＤＣ成分を表現するフィードバックビット数を削減することができる。また、ＤＣ成分は他のＤＣＴ出力成分と比べて値が大きいため、削減効果が顕著である。【００５７】
次に、本発明の実施の形態２に係る基地局５００の構成について、図１６を用いて説明する。図１６が図８と異なる点は、スケジューリング部３０３をスケジューリング部５０１に変更し、循環遅延部３０７−１，３０７−２を循環遅延部５０２−１，５０２−２に変更した点である。【００５８】
スケジューリング部５０１は、制御情報復調部から出力されたＣＱＩフィードバック情報に基づいて、リソース割り当てを行い、割り当てたリソースに従ってユーザデータを符号化部３０４−１，３０４−２に出力する。また、スケジューリング部５０１は、ＬＯＳ端末に割り当てるリソースをＣ−ＣＤＤとＡ−ＣＤＤのそれぞれに対応するＣＱＩ（それぞれＣ−ＣＱＩ，Ａ−ＣＱＩという）から選択する。【００５９】
図１７の場合、従来は３ユーザに対して、３つのチャネルに対応するＣＱＩを使ってスケジューリングを行うが、ユーザ＃１とユーザ＃２は異なる２つのチャネルをフィードバックしているため、５つのチャネルに対応するＣＱＩを用いてスケジューリングすることができる。このため、仮想的に端末数を増大させることができるので、セクタスループットを向上させることができる。【００６０】
図１７では、ＬＯＳ端末であるユーザ＃１は、ＲＢ＃１とＲＢ＃５を割り当てられている。循環遅延部５０２−１，５０２−２で使用するＣＤＤ行列はＲＢ＃１に対してはＣ−ＣＤＤ、ＲＢ＃２に対してはＡ−ＣＤＤとなる。同様に、ＬＯＳ端末であるユーザ＃３は、ＲＢ＃２とＲＢ＃４が割り当てられる。循環遅延部５０２−１，５０２−２で使用するＣＤＤ行列は、ＲＢ＃３に対してはＡ−ＣＤＤ、ＲＢ＃４に対してはＣ−ＣＤＤとなる。一方、ＴＵ端末であるユーザ＃２は、ＲＢ＃３を割り当てられる。ＴＵ端末は、Ｂｅｓｔ−Ｍ報告を行うため、循環遅延部５０２−１，５０２−２で使用するＣＤＤ行列はＣ−ＣＤＤとなる。スケジューリング部５０１は、各通信リソース（ＲＢ）を割り当てた端末に対して使用したＣＤＤ情報を循環遅延部５０２−１，５０２−２に対して出力する必要がある。【００６１】
循環遅延部５０２−１，５０２−２は、スケジューリング部５０１から出力された制御信号に含まれるＣ−ＣＤＤ行列又はＡ−ＣＤＤ行列を用いて、プリコーディング部３０６から出力されたシンボルに対して循環遅延シフトを与える。すなわち、循環遅延部５０２−１，５０２−２は、ＴＵ端末に割り当てられたＲＢに対してＣ−ＣＤＤ行列を乗算し、ＬＯＳ端末に割り当てられたＲＢに対してＡ−ＣＤＤ行列を乗算する。循環遅延シフトが与えられたシンボルは多重部３０８−１，３０８−２に出力される。【００６２】
このように実施の形態２によれば、ＬＯＳ端末はＤＣＴ報告を選択すると共に、Ｃ−ＣＤＤとは異なる位相又は角速度を与えるＡ−ＣＤＤに対応するＣＱＩ（Ａ−ＣＱＩ）をマッピングすることにより、仮想的に端末数を増大させることができるので、スループットを向上させることができる。【００６３】
（実施の形態３）
実施の形態２では、Ｃ−ＣＱＩ及びＡ−ＣＱＩを端末から基地局にフィードバックする場合について説明したが、本発明の実施の形態３では、Ｃ−ＣＱＩのみを端末から基地局にフィードバックする場合について説明する。【００６４】
本発明の実施の形態３に係る端末の構成は、実施の形態１の図３に示した構成と同様であるので、図３を援用して説明する。また、本発明の実施の形態３に係る基地局６００の構成について、図１８を用いて説明する。図１８が図１６と異なる点は、ＣＤＤ再生部６０１を追加した点である。【００６５】
ＣＤＤ再生部６０１は、制御情報復調部３０２から出力されたＣＱＩフィードバック情報がＬＯＳ端末を示す場合、ＣＱＩフィードバック情報に含まれるＣ−ＣＱＩに基づいて、Ａ−ＣＱＩを推定し、スケジューリング部３０３に出力する。【００６６】
Ｃ−ＣＤＤとＡ−ＣＤＤとの間には、位相が異なる場合と角速度が異なる場合の２通りの関係があるが、ここでは、位相が異なる場合について説明する。【００６７】
Ｃ−ＣＤＤとＡ−ＣＤＤとの位相が異なる場合は、Ａ−ＣＤＤの位相がＣ−ＣＤＤの位相とπだけずれている。すなわち、帯域全体の平均ＣＱＩを境にして、Ｃ−ＣＱＩとＡ−ＣＱＩが対称となるようＡ−ＣＱＩを推定する。先に示した図１０を用いて具体的に説明すると、Ｃ−ＣＱＩの谷の部分に位置する通信リソースのＣＱＩがＡ−ＣＱＩの山に、Ｃ−ＣＱＩの山の部分に位置する通信リソースのＣＱＩがＡ−ＣＱＩの谷になるようにＡ−ＣＱＩを推定する。【００６８】
このように実施の形態３によれば、Ｃ−ＣＱＩのみを端末から基地局にフィードバックする場合でも、基地局では、Ａ−ＣＱＩを推定することができ、仮想的に端末数を増大させることができるので、スループットを向上させることができる。【００６９】
なお、上記各実施の形態では、本発明をハードウェアで構成する場合を例にとって説明したが、本発明はソフトウェアで実現することも可能である。【００７０】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００７１】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。【００７２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。【００７３】
２００７年１２月１０日出願の特願２００７−３１８４５３の日本出願に含まれる明細書、図面及び要約書の開示内容は、すべて本願に援用される。
【産業上の利用可能性】
【００７４】
本発明にかかる無線通信端末装置、無線通信基地局装置及びＣＱＩフィードバック方法は、フィードバックオーバーヘッドを削減しつつ、ＣＱＩ再現性を向上させることができ、例えば、移動通信システム等に適用できる。
【図１】
2009075099.tif 000013
【図２】
2009075099.tif 000014
【図３】
2009075099.tif 000015
【図４】
2009075099.tif 000016
【図５】
2009075099.tif 000017
【図６】
2009075099.tif 000018
【図７】
2009075099.tif 000019
【図８】
2009075099.tif 000020
【図９】
2009075099.tif 000021
【図１０】
2009075099.tif 000022
【図１１】
2009075099.tif 000023
【図１２】
2009075099.tif 000024
【図１３】
2009075099.tif 000025
【図１４】
2009075099.tif 000026
【図１５】
2009075099.tif 000027
【図１６】
2009075099.tif 000028
【図１７】
2009075099.tif 000029
【図１８】
2009075099.tif 000030
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
現在のチャネル環境が周波数選択性の強いチャネル環境であるか、周波数選択性の弱いチャネル環境であるかを判定するチャネル判定手段と、
周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち直流成分と、周波数成分の低い（Ｍ−１）個の振幅成分をフィードバックするＤＣＴ報告を選択し、選択された報告方法によってフィードバックするＣＱＩを決定するフィードバックＣＱＩ決定手段と、
決定されたＣＱＩを無線通信基地局装置にフィードバックする送信手段と、
を具備する無線通信端末装置。
【請求項２】
前記フィードバックＣＱＩ決定手段は、ＤＣＴ報告を選択した場合、生じた空きリソースを用いてフィードバックするＣＱＩであって、かつ、決定されたＣＱＩのチャネルとは異なるチャネルに対応するＣＱＩを決定する請求項１に記載の無線通信端末装置。
【請求項３】
前記フィードバックＣＱＩ決定手段は、ＤＣＴ報告を選択した場合、第１のＣＤＤと、前記第１のＣＤＤとは異なる第２のＣＤＤとを用いて形成されるそれぞれ異なるチャネルに対応するＣＱＩを決定する請求項１に記載の無線通信端末装置。
【請求項４】
前記第２のＣＤＤは、各サブキャリアに乗算するウェイトの位相が前記第１のＣＤＤとは異なる請求項３に記載の無線通信端末装置。
【請求項５】
前記第２のＣＤＤは、各サブキャリアに乗算するウェイトの角速度が前記第１のＣＤＤとは異なる請求項３に記載の無線通信端末装置。
【請求項６】
前記フィードバックＣＱＩ決定手段は、平均受信電力差が所定範囲内に収まる複数のチャネルのＣＱＩを同時にフィードバックする場合、各チャネルのＣＱＩのＤＣＴ出力結果のＤＣ成分を各チャネルのＣＱＩに共有させる請求項２に記載の無線通信端末装置。
【請求項７】
前記フィードバックＣＱＩ決定手段は、第１のＣＤＤと、前記第１のＣＤＤとは異なる第２のＣＤＤとを用いて形成されるそれぞれ異なるチャネルに対応するＣＱＩのＤＣＴ出力結果のＤＣ成分を各チャネルのＣＱＩに共有させる請求項６に記載の無線通信端末装置。
【請求項８】
ＣＱＩをＤＣＴ変換した結果のうち周波数成分の低いＭ個の振幅成分をフィードバックするＤＣＴ報告によって、第１のＣＤＤを用いて形成されるチャネルに対応する第１のＣＱＩを受信する受信手段と、
前記第１のＣＱＩに基づいて、前記第１のＣＤＤとは異なる第２のＣＤＤを用いて形成されるチャネルに対応する第２のＣＱＩを再生する再生手段と、
を具備する無線通信基地局装置。
【請求項９】
現在のチャネル環境が周波数選択性の強いチャネル環境であるか、周波数選択性の弱いチャネル環境であるかを判定するチャネル判定ステップと、
周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち周波数成分の低いＭ個の振幅成分をフィードバックするＤＣＴ報告を選択し、選択した報告方法によってＣＱＩをフィードバックするフィードバックＣＱＩ決定ステップと、
を具備するＣＱＩフィードバック方法。
【手続補正２】
【補正対象書類名】明細書
【補正対象項目名】全文
【補正方法】変更
【補正の内容】
【発明の詳細な説明】
【技術分野】
【０００１】
本発明は、無線通信端末装置、無線通信基地局装置及びＣＱＩフィードバック方法に関する。
【背景技術】
【０００２】
３ＧＰＰ ＬＴＥの下りリンクにおけるセルスループットを改善する技術として、周波数スケジューリング（マルチユーザスケジューリング）がある。各端末はＲＢ（Resource
Block）毎のＳＩＮＲ（Signal to Interference and Noise Ratio）に基づいて決定されるＣＱＩ（Channel Quality Indicator）を基地局にフィードバックし、基地局はこれらのＣＱＩを使って各端末に通信リソースを割り当てる。
【０００３】
基地局は、より高いＣＱＩをフィードバックした端末に優先的に通信リソースを割り当てる。端末数が増大するほど、高いＣＱＩをフィードバックする端末数が増大するため、セルスループット（ピークデータレート、周波数利用効率）が改善することになる。現在、３ＧＰＰ ＬＴＥで検討されているＣＱＩフィードバック方法の中で、最も有力な候補がＢｅｓｔ−Ｍ報告である。
【０００４】
図１にＢｅｓｔ−Ｍ報告の概要について示す。Ｂｅｓｔ−Ｍ報告では、全ＲＢ（ＲＢｉ，（１≦ｉ≦ＮＲＢ））のＣＱＩｉ，（１≦ｉ≦ＮＲＢ）の中から、ＣＱＩレベルの高い上位Ｍ個のＲＢを選択して、そのＲＢに対応するＣＱＩｉ（ｊ）（１≦ｊ≦Ｍ）と平均ＣＱＩをフィードバックする。例えば、１０ＭＨｚ伝送（ＮＲＢ＝５０）、Ｍ＝５、ＣＱＩレベル＝３２の場合、Ｂｅｓｔ−Ｍ報告のＣＱＩフィードバックビット数ＮｂｅｓｔＭは次式のようになる。
【数１】
2009075099.tif 000031
【０００５】
また、ＣＱＩｉ，（１≦ｉ≦ＮＲＢ）をＤＣＴ（Discrete Cosine Transform）変換した結果の中から、直流成分と周波数成分の低い（Ｍ−１）個の振幅成分をフィードバックするＤＣＴ報告がある。図２にＤＣＴ報告の概要について示す。ＤＣＴ報告のＣＱＩフィードバックビット数ＮＤＣＴは次式のようになる。
【数２】
2009075099.tif 000032
ここで、ＤはＤＣ成分の表現（量子化）ビット数であり、Ｄ＝５とした。
【０００６】
このように、Ｂｅｓｔ−Ｍ報告では、フィードバックオーバーヘッドが多い（１０ＭＨｚ当たり５２ビット）ので、ＣＱＩ再現性も高めることができる。一方、ＤＣＴ報告では、フィードバックオーバーヘッドを少なく抑える（１０ＭＨｚ当たり２５ビット）ことができるものの、ＣＱＩ再現性は悪くなる。すなわち、フィードバックオーバーヘッドとＣＱＩ再現性にはトレードオフの関係が存在する。
【０００７】
以下、周波数選択性の強いチャネル環境下に存在する端末をＴＵ端末、周波数選択性の弱い（周波数非選択性に近い）チャネル環境下に存在する端末をＬＯＳ端末と呼ぶことにする。
【非特許文献１】3GPP, R1-062954, LG Electronics, “Analysis on DCT based CQI reporting Scheme”, RAN1#46-bis, Seoul, October 9-13, 2006
【発明の開示】
【発明が解決しようとする課題】
【０００８】
従来、端末のチャネル状況に関係なく、任意の端末がＢｅｓｔ−Ｍ報告によりＣＱＩをフィードバックしている。Ｂｅｓｔ−Ｍ報告は、ＴＵ端末のＣＱＩを正確に表現できるように調整されているため、ＬＯＳ端末がＢｅｓｔ−Ｍ報告を使用することは、過剰なリソース（ビット）を使ってＣＱＩを表現することになってしまう。
【０００９】
本発明の目的は、フィードバックオーバーヘッドを削減しつつ、ＣＱＩ再現性を向上させる無線通信端末装置、無線通信基地局装置及びＣＱＩフィードバック方法を提供することである。
【課題を解決するための手段】
【００１０】
本発明の無線通信端末装置は、現在のチャネル環境が周波数選択性の強いチャネル環境であるか、周波数選択性の弱いチャネル環境であるかを判定するチャネル判定手段と、周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち直流成分と、周波数成分の低い（Ｍ−１）個の振幅成分をフィードバックするＤＣＴ報告を選択し、選択された報告方法によってフィードバックするＣＱＩを決定するフィードバックＣＱＩ決定手段と、決定されたＣＱＩを無線通信基地局装置にフィードバックする送信手段と、を具備する構成を採る。
【００１１】
本発明の無線通信基地局装置は、ＣＱＩをＤＣＴ変換した結果のうち周波数成分の低いＭ個の振幅成分をフィードバックするＤＣＴ報告によって、第１のＣＤＤを用いて形成されるチャネルに対応する第１のＣＱＩを受信する受信手段と、前記第１のＣＱＩに基づいて、前記第１のＣＤＤとは異なる第２のＣＤＤを用いて形成されるチャネルに対応する第２のＣＱＩを再生する再生手段と、を具備する構成を採る。
【００１２】
本発明のＣＱＩフィードバック方法は、現在のチャネル環境が周波数選択性の強いチャネル環境であるか、周波数選択性の弱いチャネル環境であるかを判定するチャネル判定ステップと、周波数選択性の強いチャネル環境では、ＣＱＩレベルの高い上位Ｍ個のＣＱＩと全ＣＱＩレベルを平均したＣＱＩをフィードバックするＢｅｓｔ−Ｍ報告を選択し、周波数選択性の弱いチャネル環境では、ＣＱＩをＤＣＴ変換した結果のうち周波数成分の低いＭ個の振幅成分をフィードバックするＤＣＴ報告を選択し、選択した報告方法によってＣＱＩをフィードバックするフィードバックＣＱＩ決定ステップと、を具備するようにした。
【発明の効果】
【００１３】
本発明によれば、フィードバックオーバーヘッドを削減しつつ、ＣＱＩ再現性を向上させることができる。
【発明を実施するための最良の形態】
【００１４】
以下、本発明の実施の形態について、図面を参照して詳細に説明する。ただし、実施の形態において、同一機能を有する構成には同一符号を付し、重複する説明は省略する。
【００１５】
（実施の形態１）
本発明の実施の形態１に係る端末１００の構成について、図３を用いて説明する。図３において、無線受信部１０２−１，１０２−２は、後述する基地局から送信されたＲＦ（Radio Frequency）信号を、アンテナ１０１−１，１０１−２を介して受信し、ＲＦ信号にダウンコンバートなどの処理を施し、ＯＦＤＭベースバンド信号に変換する。ＯＦＤＭベースバンド信号はＯＦＤＭ復調部１０３−１，１０３−２に出力される。
【００１６】
ＯＦＤＭ復調部１０３−１，１０３−２は、無線受信部１０２−１，１０２−２から出力されたＯＦＤＭベースバンド信号からＣＰ（Cyclic Prefix）を除去し、ＣＰを除去したＯＦＤＭベースバンド信号に高速フーリエ変換を施すことにより、時間領域信号を周波数領域信号に変換する。周波数領域信号は分離部１０４−１，１０４−２に出力される。
【００１７】
分離部１０４−１，１０４−２は、ＯＦＤＭ復調部１０３−１，１０３−２から出力された周波数領域信号をデータ信号と共通参照信号とに分離し、データ信号を復調部１０６に出力し、共通参照信号をチャネル推定部１０５に出力する。
【００１８】
チャネル推定部１０５は、分離部１０４−１，１０４−２から出力された共通参照信号を用いて、基地局の各送信アンテナと端末１００の各受信アンテナとのチャネル推定値Ｈ＾ｋ，ｊを求め、求めたチャネル推定値Ｈ＾ｋ，ｊと循環遅延シフトサンプル数τｉ，（１≦ｉ≦２）とを用いて、ＣＤＤ（Cyclic Delay Diversity）合成チャネル推定値Ｈ＾ｋを次式のように求める。
【数３】
2009075099.tif 000033
ここでは、ｋはサブキャリア番号を、ｉは送信アンテナ番号をそれぞれ示す。求められたＣＤＤ合成チャネル推定値Ｈ＾ｋは復調部１０６及びＣＱＩ推定部１０８に出力される。
【００１９】
復調部１０６は、チャネル推定部１０５から出力されたチャネル推定値を用いて、分離部１０４−１，１０４−２から出力されたデータ信号を復調し、軟判定ビットを生成する。生成された軟判定ビットは復号部１０７に出力される。
【００２０】
復号部は１０７、復調部１０６から出力された軟判定ビットに対して、チャネル復号を行い、情報データ系列を復号し、復号データを出力する。
【００２１】
ＣＱＩ推定部１０８は、チャネル推定部１０５から出力されたチャネル推定値Ｈ＾ｋ，ｊを用いて、各ＲＢのＣＱＩ値を推定し、端末チャネル判定部１０９に出力する。なお、ＣＱＩ値推定の詳細については後述する。
【００２２】
端末チャネル判定部１０９は、ＣＱＩ推定部１０８から出力された各ＲＢのＣＱＩ値を用いて、端末チャネル状況、すなわち、自端末がＴＵ端末かＬＯＳ端末かを判定し、判定結果をフィードバックＣＱＩ決定部１１０に出力する。なお、端末チャネル判定の詳細については後述する。
【００２３】
フィードバックＣＱＩ決定部１１０は、端末チャネル判定部１０９から出力された端末チャネルの判定結果に基づいて、ＣＱＩフィードバック情報を生成し、無線送信部１１１に出力する。なお、フィードバックＣＱＩ決定の詳細については後述する。
【００２４】
無線送信部１１１は、フィードバックＣＱＩ決定部１１０から出力されたＣＱＩフィードバック情報にアップコンバートなどの処理を施し、ＲＦ信号に変換し、後述する基地局に送信する。
【００２５】
ここで、上述したＣＱＩ推定部１０８におけるＣＱＩ値推定処理の詳細について説明する。図４は、ＣＱＩ値推定の処理手順を示すフロー図である。図４において、ステップ（以下、「ＳＴ」と省略する）２０１では、Ｂｅｓｔ−Ｍ報告とＤＣＴ報告とで共通に使用するＣＤＤ行列（Ｃ−ＣＤＤ行列）とチャネル推定値Ｈ＾ｋ，ｊを用いて、ＣＤＤ合成チャネル推定値Ｈ＾ｋを次式のように算出する。
【数４】
2009075099.tif 000034
ここで、Ｃ−ＣＤＤ行列を以下のように定義する。
【数５】
2009075099.tif 000035
【００２６】
参考までにＣＤＤ合成チャネルについて図５を用いて説明する。この図に示すように、Ｃ−ＣＤＤの振幅について、一方の送信アンテナ（送信アンテナ＃１）では、周波数にかかわらず振幅Ｈ１で一定であり、他方の送信アンテナ（送信アンテナ＃２）では、周波数にかかわらず振幅Ｈ２（＜Ｈ１）で一定である。また、Ｃ−ＣＤＤの位相について、送信アンテナ＃１では、周波数にかかわらず位相Ｈ１で一定であり、送信アンテナ＃２では、周波数が増加するにつれて位相Ｈ２も増加する。このような、振幅及び位相を有する信号が送信アンテナ＃１及び＃２から送信されると、図５に示すように、合成波形が形成される。
【００２７】
図４に戻る。ＳＴ２０２では、ＲＢ毎のＳＩＮＲを算出する。具体的には、まず、サブキャリアｋの信号電力Ｓｋを次式のように求める。
【数６】
2009075099.tif 000036
ここで、ＲＢ番号ｎの信号電力Ｓｊ（ｎ）を次式のように定義する。
【数７】
2009075099.tif 000037
ここで、ＮｒｂはＲＢ当たりのサブキャリア数である。そして、ＲＢ番号ｎの平均ＳＩＮＲｎは次式のように求められる。なお、σ２は雑音電力を表す。
【数８】
2009075099.tif 000038
【００２８】
ＳＴ２０３では、ＳＴ２０２において求めたＳＩＮＲｎからＲＢ毎にマッピングテーブルを用いて、ＣＱＩｎを決定する。マッピングテーブルには、ＳＩＮＲｎの所定範囲毎にＣＱＩｎが対応付けられている。すなわち、ＳＩＮＲｎに対して一義的にＣＱＩｎを決定することができる。
【００２９】
次に、上述した端末チャネル判定部１０９における端末チャネル判定の詳細について説明する。図６は、端末チャネル判定の処理手順を示すフロー図である。図６において、ＳＴ２１１では、ＮＲＢ個のＣＱＩ系列にＤＣＴ変換を施し、ＮＲＢ個の係数に変換する。
【００３０】
ＳＴ２１２では、ＳＴ２１１におけるＤＣＴ出力値の絶対値の平均値を閾値として、各ＤＣＴ出力値の閾値判定を行い、閾値以上となるＤＣＴ出力値の個数をカウントする。カウント結果Ｎｄが２以下（ＮＯ）であれば、ＳＴ２１３においてＬＯＳ端末と判定し、カウント結果Ｎｄが３以上（ＹＥＳ）であれば、ＳＴ２１４においてＴＵ端末と判定する。
【００３１】
次に、フィードバックＣＱＩ決定部１１０におけるフィードバックＣＱＩ決定の詳細について説明する。フィードバックＣＱＩ決定部１１０では、端末チャネル判定部１０９の判定結果がＴＵ端末を示す場合、Ｂｅｓｔ−Ｍ報告を選択し、ＣＱＩｎ，（１≦ｎ≦ＮＲＢ）のうち、ＣＱＩレベルの上位Ｍ個のＣＱＩｍ（ｓ），（１≦ｍ≦Ｍ）とそれに対応するＲＢｍ，（１≦ｍ≦Ｍ）を選択する。また、フィードバックＣＱＩ決定部１１０は、ＣＱＩフィードバック情報がＴＵ端末を示す場合には、ＴＵ／ＬＯＳ端末判別フラグ“０”をＣＱＩフィードバック情報に付加する。
【００３２】
一方、フィードバックＣＱＩ決定部１１０では、端末チャネル判定部１０９の判定結果がＬＯＳ端末を示す場合、ＤＣＴ報告を選択し、ＣＱＩｎ，（１≦ｎ≦ＮＲＢ）ＤＣＴ変換した結果の中から、直流成分と、周波数成分の低い（Ｍ−１）個の振幅成分を選択する。また、フィードバックＣＱＩ決定部１１０は、ＣＱＩフィードバック情報がＬＯＳ端末を示す場合には、ＴＵ／ＬＯＳ端末判別フラグ“１”をＣＱＩフィードバック情報に付加する。
【００３３】
このように、ＬＯＳ端末では、ＤＣＴ報告を選択することにより、フィードバックオーバーヘッドを削減するため、ＣＱＩフィードバックフォーマットには空きリソースが生じる。ここでは、図７Ａ及び図７Ｂに示すフォーマットが考えられる。図７Ａに示すＤＣＴ報告のＣＱＩフィードバックフォーマットは、Ｍ個のＤＣＴ出力値をレピティション処理したフォーマットを示しており、これにより、Ｍ個のＤＣＴ出力値の受信耐性を強化することができる。また、図７Ｂに示すＤＣＴ報告のＣＱＩフィードバックフォーマットは、
ＤＣＴ出力値をＭ個の２倍（２Ｍ個）にしたフォーマットを示しており、これにより、ＣＱＩ値の再現性を向上させることができる。
【００３４】
次に、本発明の実施の形態１に係る基地局３００の構成について、図８を用いて説明する。図８において、無線受信部３０１は、端末から送信されたＲＦ信号を、アンテナ３１１−１，３１１−２を介して受信し、ＲＦ信号にダウンコンバートなどの処理を施し、ＯＦＤＭベースバンド信号に変換する。ＯＦＤＭベースバンド信号は制御情報復調部３０２に出力される。
【００３５】
制御情報復調部３０２は、無線受信部３０１から出力されたＯＦＤＭベースバンド信号を復調し、ＣＱＩフィードバック情報、ＣＤＤ情報及び端末チャネル状況を得て、スケジューリング部３０３に出力する。
【００３６】
スケジューリング部３０３は、制御情報復調部３０２から出力されたＣＱＩフィードバック情報に基づいて、リソース割り当てを行い、割り当てたリソースに従ってユーザデータを符号化部３０４−１，３０４−２に出力する。また、符号化率を符号化部３０４−１，３０４−２に出力し、変調方式を変調部３０５−１，３０５−２に出力し、プリコーディング行列を表現するＰＭＩ（Precoding Matrix Indicator）をプリコーディング部３０６に出力し、Ｃ−ＣＤＤ行列を含む制御信号を循環遅延部３０７−１，３０７−２及び多重部３０８−１，３０８−２に出力する。
【００３７】
符号化部３０４−１，３０４−２は、スケジューリング部３０３から出力されたユーザデータを同じくスケジューリング部３０３から出力された制御信号に含まれる符号化率でチャネル符号化し、符号化ビットを変調部３０５−１，３０５−２に出力する。
【００３８】
変調部３０５−１，３０５−２は、符号化部３０４−１，３０４−２から出力された符号化ビットをスケジューリング部３０３から出力された制御信号に含まれる変調方式でＱＡＭ（ＱＰＳＫ，１６ＱＡＭ又は６４ＱＡＭ）変調し、変調シンボルをプリコーディング部３０６に出力する。
【００３９】
プリコーディング部３０６は、変調部３０５−１，３０５−２から出力された変調シンボルにスケジューリング部３０３から出力された制御信号に含まれるＰＭＩに基づいて、プリコーディング処理を施し、循環遅延部３０７−１，３０７−２に出力する。
【００４０】
循環遅延部３０７−１，３０７−２は、スケジューリング部３０３から出力された制御信号に含まれるＣ−ＣＤＤ行列を用いて、プリコーディング部３０３から出力されたシンボルに対して循環遅延シフトを与え、多重部３０８−１，３０８−２に出力する。
【００４１】
多重部３０８−１，３０８−２は、循環遅延部３０７−１，３０７−２から出力されたデータ信号と、スケジューリング部３０３から出力された制御信号と、入力された共通参照信号とを多重し、ＯＦＤＭ変調部３０９−１，３０９−２に出力する。
【００４２】
ＯＦＤＭ変調部３０９−１，３０９−２は、多重部３０８−１，３０８−２から出力された多重信号に逆高速フーリエ変換を施すことにより、周波数領域信号を時間領域信号に変換し、ＣＰを付加してＯＦＤＭ信号を生成する。生成されたＯＦＤＭ信号は無線送信部３１０−１，３１０−２に出力される。
【００４３】
無線送信部３１０−１，３１０−２は、ＯＦＤＭ変調部３０９−１，３０９−２から出力されたＯＦＤＭ信号をＲＦ信号に変換し、各アンテナ３１１−１，３１１−２から端末１００に送信する。
【００４４】
このように実施の形態１によれば、ＴＵ端末はＢｅｓｔ−Ｍ報告を選択し、ＬＯＳ端末はＤＣＴ報告を選択することにより、フィードバックオーバーヘッドを削減しつつ、ＣＱＩ再現性を向上させることができる。
【００４５】
（実施の形態２）
本発明の実施の形態２に係る端末４００の構成について、図９を用いて説明する。図９が図３と異なる点は、ＣＱＩ推定部１０８をＣＱＩ推定部４０１に変更し、端末チャネル判定部１０９を端末チャネル判定部４０２に変更し、フィードバックＣＱＩ決定部１１０をフィードバックＣＱＩ決定部４０３に変更した点である。
【００４６】
ＣＱＩ推定部４０１は、チャネル推定部１０５から出力されたチャネル推定値Ｈ＾ｋ，ｊを用いて、各ＲＢのＣＱＩ値を推定し、端末チャネル判定部４０２に出力する。具体的には、ＣＱＩ推定部４０１は、Ｃ−ＣＤＤに加え、追加用ＣＤＤ（Ａ−ＣＤＤ）行列を用いてＣＤＤ合成チャネルを推定する。Ｃ−ＣＤＤとＡ−ＣＤＤとの関係は、位相が異なる場合及び角速度が異なる場合の２通りがある。まず、Ｃ−ＣＤＤとＡ−ＣＤＤとの関係において位相が異なる場合について説明する。Ｃ−ＣＤＤ行列とＡ−ＣＤＤ行列は次式のようになる。
【数９】
2009075099.tif 000039
【００４７】
また、図１０に示すように、Ｃ−ＣＤＤの振幅について、送信アンテナ＃１では、周波数にかかわらず振幅Ｈ１で一定であり、送信アンテナ＃２では、周波数にかかわらず振幅Ｈ２（＜Ｈ１）で一定である。また、位相について、送信アンテナ＃１では、周波数にかかわらず位相Ｈ１で一定であり、送信アンテナ＃２では、Ｃ−ＣＤＤとＡ−ＣＤＤのサブキャリア毎のウェイトの位相を反転させる（πずらす）。このような、振幅及び位相を有する信号が送信アンテナ＃１及び＃２から送信されると、Ｃ−ＣＤＤ及びＡ−ＣＤＤの合成波形は、図１０に示すように形成される。
【００４８】
次に、Ｃ−ＣＤＤとＡ−ＣＤＤとの関係において角速度が異なる場合について説明する。Ｃ−ＣＤＤ行列とＡ−ＣＤＤ行列は次式のようになる。
【数１０】
2009075099.tif 000040
【００４９】
また、図１１に示すように、Ｃ−ＣＤＤの振幅については、図１０と同様であり、位相については、送信アンテナ＃１では、周波数にかかわらず位相Ｈ１で一定であり、送信アンテナ＃２では、Ｃ−ＣＤＤとＡ−ＣＤＤのサブキャリア毎の角速度を異ならせる。このような、振幅及び位相を有する信号が送信アンテナ＃１及び＃２から送信されると、Ｃ−ＣＤＤ及びＡ−ＣＤＤの合成波形は、図１１に示すように形成される。
【００５０】
また、ＣＱＩ推定部４０１は、端末チャネル判定部４０２においてＬＯＳ端末と判定された場合、その旨を端末チャネル判定部４０２から通知され、Ａ−ＣＤＤに対応するＤＣＴ出力を算出し、端末チャネル判定部４０２に出力する。ただし、端末チャネル判定部４０２では、既に判定を行っているので、ＣＱＩ推定部４０１から出力されたＡ−ＣＤＤに対応するＤＣＴ出力をフィードバックＣＱＩ決定部４０３に出力する。
【００５１】
フィードバックＣＱＩ決定部４０３は、ＬＯＳ端末では、ＤＣＴ報告を選択することにより、フィードバックオーバーヘッドを削減するため、ＣＱＩフィードバックフォーマットには空きリソースが生じる。本実施の形態では、図１２Ａ及び図１２Ｂに示すフォーマットが考えられる。図１２Ａに示すＤＣＴ報告のＣＱＩフィードバックフォーマットは、Ｃ−ＣＤＤのＭ個のＤＣＴ出力値とＡ−ＣＤＤのＭ個のＤＣＴ出力値とを含むフォーマットを示している。
【００５２】
また、図１２Ｂに示すＤＣＴ報告のＣＱＩフィードバックフォーマットは、Ｃ−ＣＤＤの（Ｍ−１）個のＤＣＴ出力値、Ａ−ＣＤＤの（Ｍ−１）個のＤＣＴ出力値に加え、これらが共有するＤＣ成分を含むフォーマットを示している。位相又は角速度が異なる２つのＣＤＤ行列により形成されるＣＱＩのＤＣＴ出力値は２つのＣＤＤ行列共にほぼ同じ値になる。
【００５３】
ここで、ＣＱＩをＤＣＴ変換した結果のＤＣ成分がほぼ同じになる様子について図１３を用いて説明する。図１３は、平均受信電力（ＣＱＩレベル）が同じチャネル同士のＤＣＴ出力結果を示す。帯域全体の平均受信電力（又は平均ＣＱＩ）がほぼ同じであれば、ＤＣＴ変換した結果のＤＣ成分はほぼ同じ値になる。
【００５４】
同一の伝搬チャネルに対して、異なる２つの位相又は角速度のＣＤＤ行列を乗算しても、帯域全体の平均受信電力はほぼ同じになる。図１４に位相が異なる２つのＣＤＤ行列により形成されるＣＱＩのＤＣＴ出力結果を示し、図１５に角速度が異なる２つのＣＤＤ行列により形成されるＣＱＩのＤＣＴ出力結果を示す。図１４及び図１５から明らかなように、Ａ−ＣＱＩとＣ−ＣＱＩの平均値がほぼ同じなるため、位相及び角速度が異なる２つのＣＤＤ行列により形成されるＣＱＩのＤＣＴ出力値のＤＣ成分はほぼ同じ値になる。よって、平均受信電力差が所定範囲内に収まる複数のチャネルのＣＱＩ（ここでは、Ａ−ＣＱＩとＣ−ＣＱＩのＤＣＴ出力結果）を同時にフィードバックする場合は、ＤＣ成分を共有できる。
【００５５】
これにより、ＤＣ成分を表現するフィードバックビット数を削減することができる。また、ＤＣ成分は他のＤＣＴ出力成分と比べて値が大きいため、削減効果が顕著である。
【００５６】
次に、本発明の実施の形態２に係る基地局５００の構成について、図１６を用いて説明する。図１６が図８と異なる点は、スケジューリング部３０３をスケジューリング部５０１に変更し、循環遅延部３０７−１，３０７−２を循環遅延部５０２−１，５０２−２に変更した点である。
【００５７】
スケジューリング部５０１は、制御情報復調部から出力されたＣＱＩフィードバック情報に基づいて、リソース割り当てを行い、割り当てたリソースに従ってユーザデータを符号化部３０４−１，３０４−２に出力する。また、スケジューリング部５０１は、ＬＯＳ端末に割り当てるリソースをＣ−ＣＤＤとＡ−ＣＤＤのそれぞれに対応するＣＱＩ（それぞれＣ−ＣＱＩ，Ａ−ＣＱＩという）から選択する。
【００５８】
図１７の場合、従来は３ユーザに対して、３つのチャネルに対応するＣＱＩを使ってスケジューリングを行うが、ユーザ＃１とユーザ＃２は異なる２つのチャネルをフィードバ
ックしているため、５つのチャネルに対応するＣＱＩを用いてスケジューリングすることができる。このため、仮想的に端末数を増大させることができるので、セクタスループットを向上させることができる。
【００５９】
図１７では、ＬＯＳ端末であるユーザ＃１は、ＲＢ＃１とＲＢ＃５を割り当てられている。循環遅延部５０２−１，５０２−２で使用するＣＤＤ行列はＲＢ＃１に対してはＣ−ＣＤＤ、ＲＢ＃２に対してはＡ−ＣＤＤとなる。同様に、ＬＯＳ端末であるユーザ＃３は、ＲＢ＃２とＲＢ＃４が割り当てられる。循環遅延部５０２−１，５０２−２で使用するＣＤＤ行列は、ＲＢ＃３に対してはＡ−ＣＤＤ、ＲＢ＃４に対してはＣ−ＣＤＤとなる。一方、ＴＵ端末であるユーザ＃２は、ＲＢ＃３を割り当てられる。ＴＵ端末は、Ｂｅｓｔ−Ｍ報告を行うため、循環遅延部５０２−１，５０２−２で使用するＣＤＤ行列はＣ−ＣＤＤとなる。スケジューリング部５０１は、各通信リソース（ＲＢ）を割り当てた端末に対して使用したＣＤＤ情報を循環遅延部５０２−１，５０２−２に対して出力する必要がある。
【００６０】
循環遅延部５０２−１，５０２−２は、スケジューリング部５０１から出力された制御信号に含まれるＣ−ＣＤＤ行列又はＡ−ＣＤＤ行列を用いて、プリコーディング部３０６から出力されたシンボルに対して循環遅延シフトを与える。すなわち、循環遅延部５０２−１，５０２−２は、ＴＵ端末に割り当てられたＲＢに対してＣ−ＣＤＤ行列を乗算し、ＬＯＳ端末に割り当てられたＲＢに対してＡ−ＣＤＤ行列を乗算する。循環遅延シフトが与えられたシンボルは多重部３０８−１，３０８−２に出力される。
【００６１】
このように実施の形態２によれば、ＬＯＳ端末はＤＣＴ報告を選択すると共に、Ｃ−ＣＤＤとは異なる位相又は角速度を与えるＡ−ＣＤＤに対応するＣＱＩ（Ａ−ＣＱＩ）をマッピングすることにより、仮想的に端末数を増大させることができるので、スループットを向上させることができる。
【００６２】
（実施の形態３）
実施の形態２では、Ｃ−ＣＱＩ及びＡ−ＣＱＩを端末から基地局にフィードバックする場合について説明したが、本発明の実施の形態３では、Ｃ−ＣＱＩのみを端末から基地局にフィードバックする場合について説明する。
【００６３】
本発明の実施の形態３に係る端末の構成は、実施の形態１の図３に示した構成と同様であるので、図３を援用して説明する。また、本発明の実施の形態３に係る基地局６００の構成について、図１８を用いて説明する。図１８が図１６と異なる点は、ＣＤＤ再生部６０１を追加した点である。
【００６４】
ＣＤＤ再生部６０１は、制御情報復調部３０２から出力されたＣＱＩフィードバック情報がＬＯＳ端末を示す場合、ＣＱＩフィードバック情報に含まれるＣ−ＣＱＩに基づいて、Ａ−ＣＱＩを推定し、スケジューリング部３０３に出力する。
【００６５】
Ｃ−ＣＤＤとＡ−ＣＤＤとの間には、位相が異なる場合と角速度が異なる場合の２通りの関係があるが、ここでは、位相が異なる場合について説明する。
【００６６】
Ｃ−ＣＤＤとＡ−ＣＤＤとの位相が異なる場合は、Ａ−ＣＤＤの位相がＣ−ＣＤＤの位相とπだけずれている。すなわち、帯域全体の平均ＣＱＩを境にして、Ｃ−ＣＱＩとＡ−ＣＱＩが対称となるようＡ−ＣＱＩを推定する。先に示した図１０を用いて具体的に説明すると、Ｃ−ＣＱＩの谷の部分に位置する通信リソースのＣＱＩがＡ−ＣＱＩの山に、Ｃ−ＣＱＩの山の部分に位置する通信リソースのＣＱＩがＡ−ＣＱＩの谷になるようにＡ−ＣＱＩを推定する。
【００６７】
このように実施の形態３によれば、Ｃ−ＣＱＩのみを端末から基地局にフィードバックする場合でも、基地局では、Ａ−ＣＱＩを推定することができ、仮想的に端末数を増大させることができるので、スループットを向上させることができる。
【００６８】
なお、上記各実施の形態では、本発明をハードウェアで構成する場合を例にとって説明したが、本発明はソフトウェアで実現することも可能である。
【００６９】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７１】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００７２】
２００７年１２月１０日出願の特願２００７−３１８４５３の日本出願に含まれる明細書、図面及び要約書の開示内容は、すべて本願に援用される。
【産業上の利用可能性】
【００７３】
本発明にかかる無線通信端末装置、無線通信基地局装置及びＣＱＩフィードバック方法は、フィードバックオーバーヘッドを削減しつつ、ＣＱＩ再現性を向上させることができ、例えば、移動通信システム等に適用できる。
【図面の簡単な説明】
【００７４】
【図１】Ｂｅｓｔ−Ｍ報告の概要を示す図
【図２】ＤＣＴ報告の概要を示す図
【図３】本発明の実施の形態１に係る端末の構成を示すブロック図
【図４】ＣＱＩ値推定の処理手順を示すフロー図
【図５】ＣＤＤ合成チャネルの説明に供する図
【図６】端末チャネル判定の処理手順を示すフロー図
【図７】本発明の実施の形態１に係るＣＱＩフィードバックフォーマットを示す図
【図８】本発明の実施の形態１に係る基地局の構成を示すブロック図
【図９】本発明の実施の形態２に係る端末の構成を示すブロック図
【図１０】位相が異なる場合のＣＤＤ合成チャネルの説明に供する図
【図１１】角速度が異なる場合のＣＤＤ合成チャネルの説明に供する図
【図１２】本発明の実施の形態２に係るＣＱＩフィードバックフォーマットを示す図
【図１３】ＣＱＩをＤＣＴ変換した結果のＤＣ成分がほぼ同じになる様子を示す図
【図１４】位相が異なる２つのＣＤＤ行列により形成されるＣＱＩのＤＣＴ出力結果を示す図
【図１５】角速度が異なる２つのＣＤＤ行列により形成されるＣＱＩのＤＣＴ出力結果を示す図
【図１６】本発明の実施の形態２に係る基地局の構成を示すブロック図
【図１７】ＬＯＳ端末とＴＵ端末にＲＢを割り当てる様子を示す図
【図１８】本発明の実施の形態３に係る基地局の構成を示すブロック図
【手続補正３】
【補正対象書類名】図面
【補正対象項目名】全図
【補正方法】変更
【補正の内容】
【図１】
2009075099.tif 000041
【図２】
2009075099.tif 000042
【図３】
2009075099.tif 000043
【図４】
2009075099.tif 000044
【図５】
2009075099.tif 000045
【図６】
2009075099.tif 000046
【図７】
2009075099.tif 000047
【図８】
2009075099.tif 000048
【図９】
2009075099.tif 000049
【図１０】
2009075099.tif 000050
【図１１】
2009075099.tif 000051
【図１２】
2009075099.tif 000052
【図１３】
2009075099.tif 000053
【図１４】
2009075099.tif 000054
【図１５】
2009075099.tif 000055
【図１６】
2009075099.tif 000056
【図１７】
2009075099.tif 000057
【図１８】
2009075099.tif 000058
【国際調査報告】
2009075099.tif 000059
2009075099.tif 000060
2009075099.tif 000061
2009075099.tif 000062
2009075099.tif 000063